(57)【特許請求の範囲】
【請求項１】
複数の素子アンテナを用いたアレーアンテナと、前記各素子アンテナから得られる高周波信号を周波数変換及び位相検波して複素ベースバンド信号を出力する周波数変換部と、前記複素ベースバンド信号を複素ディジタル信号に変換するＡ／Ｄ変換器と、前記複素ディジタル信号の高周波成分を減衰させた複素低域信号を出力する低域通過フィルタと、前記複素低域信号を前記ＡＤ変換器のサンプリング間隔の整数倍でダウンサンプリングし複素ダウンサンプル信号を出力するダウンサンプル部と、前記各素子アンテナから得られた前記複素ダウンサンプル信号を一時的に蓄積しデータ転送を行うデータ転送部と、前記データ転送部の出力データを基に電波到来方向推定を行う方向推定処理部とを有することを特徴とする電波到来方向推定装置。
【請求項２】
低域通過フィルタの通過帯域が、電波到来方向推定を行う到来電波の３ｄＢ帯域の１０〜５０％であることを特徴とする請求項１記載の電波到来方向推定装置。
【請求項３】
各素子アンテナから得られた複素ダウンサンプル信号を用いて共分散行列を求める共分散行列演算手段と、前記共分散行列から固有値を求める固有値演算手段と、前記固有値に対応する固有ベクトルを求める固有ベクトル演算手段と、前記固有ベクトルを用いて到来波方向を推定する方向評価関数演算手段とを有することを特徴とする請求項１または２記載の電波到来方向推定装置。
【請求項４】
方向評価関数演算手段は、固有ベクトルの中で最大固有値を除く固有値に対する固有ベクトルに対する直交性を評価する方向評価関数を演算することで最大レベルの到来波方向を推定する最大レベル方向評価関数演算手段であることを特徴とする請求項３記載の電波到来方向推定装置。
【請求項５】
請求項４記載の電波到来方向推定装置と、異なる主ビーム方向をもつ複数のセクタアンテナと、最大レベル方向評価関数演算手段の演算結果から前記複数のセクタアンテナから１つのセクタアンテナを選択するセクタ制御信号を出力するセクタ制御部と、前記セクタ制御信号に基づきセクタアンテナを択一的に接続するセクタスイッチと、前記セクタスイッチの出力信号に対し復調動作を行う受信部とを有することを特徴とする指向性可変受信装置。
【発明の詳細な説明】
【０００１】
【発明の属する技術分野】
本発明はアレーアンテナを用いて電波到来方向を推定する電波到来方向推定装置、及び方向推定結果を基にアンテナ指向性を可変する指向性可変受信装置に関する。
【０００２】
【従来の技術】
従来、複数の素子アンテナからなるアレーアンテナを用いて、電波の到来方向を高精度で推定を行う一つの方法として、文献Ｒ．Ｏ．Ｓｃｈｍｉｔｄｔ、“Ｍｕｌｔｉｐｌｅ  ｅｍｉｔｔｅｒ  Ｌｏｃａｔｉｏｎ  ａｎｄ  Ｓｉｇｎａｌ  Ｐａｒａｍｅｔｅｒ  Ｅｓｔｉｍａｔｉｏｎ”、ＩＥＥＥ  Ｔｒａｎｓ．，ＡＰ−３４、３，ｐｐ．２７６−２８０（１９８６）に開示されているＭＵＳＩＣ（ＭＵｌｔｉｐｌｅ  ＳＩｇｎａｌ  Ｃｌａｓｓｉｆｉｃａｔｉｏｎ）法がある。これは同一周波数帯の複数波を同時に高精度に方向推定することができるアルゴリズムである。以下、図７、図８を用いて、従来のＭＵＳＩＣ法を用いた電波到来方向推定装置について説明する。
【０００３】
図７は、従来の電波到来方向推定装置の構成を示すブロック図である。Ｍ個（ただし、Ｍ＞１）の素子アンテナ７１―１〜Ｍで受信した受信信号７２―１〜Ｍは、各素子アンテナ７１―１〜Ｍに接続された周波数変換部７３―１〜Ｍにおいて、周波数変換された後、位相検波され、直交するＩ、Ｑ信号からなる複素ベースバンド信号７４―１〜Ｍに変換される。各複素ベースバンド信号７４―１〜Ｍは、アナログ／ディジタル変換器７５―１〜Ｍ（以下、Ａ／Ｄ変換器と呼ぶ。）により、アナログ信号から複素ディジタル信号７６―１〜Ｍに変換される。
【０００４】
データ転送部７７は、複素ディジタル信号７６―１〜Ｍからそれぞれ得られるサンプル時刻ｋΔＴ（ΔＴはサンプリング間隔）における複素ディジタル信号ｘ１（ｋ）、ｘ２（ｋ）、．．．、ｘＭ（ｋ）を、所定サンプル間、一時的に蓄積した後、所定のタイミングで一括的に方向推定処理部７８にデータ転送を行う。
【０００５】
方向推定処理部７８は、データ転送部７７の出力データからＭＵＳＩＣ法に基づく演算を行い方向推定を行う。
【０００６】
図８は、従来の方向推定処理部７８の構成を示すブロック図である。分散行列演算手段７９は、データ転送部７７の出力から得られる複素ディジタル信号７６―１〜Ｍを用いて、（数１）で示される受信ベクトルＸ（ｋ）を作り、サンプル時刻ｋ＝１〜Ｎまでの受信ベクトルＸ（ｋ）を用いて、（数２）の共分散行列Ｒを求める。ただし、Ｔは転置、Ｈは複素共役転置を示す。
【０００７】
【数１】
0003596331.tif 000002
【０００８】
【数２】
0003596331.tif 000003
【０００９】
固有値演算手段８０は、共分散行列Ｒの固有値を降順に算出した固有値λ１  〜λＭ  を求める。固有ベクトル演算手段８１は、固有値λ１  〜λＭ  に対応する固有ベクトルｅ１  〜ｅＭ  を算出する。到来波数がＳ個の場合、方向評価関数演算手段８２は、（数３）の関係にある雑音固有ベクトル空間に属する（Ｍ−Ｓ）個の固有ベクトル行列ＥＮ  ＝［ｅｓ＋１  、．．．、ｅＭ  ］を用い、固有ベクトルｅ１  〜ｅＭ  が張る信号固有ベクトル空間Ｅｓ  ＝［ｅ１  、．．．、ｅＭ  ］とＥＮ  は直交する性質を利用する。すなわち、方位θに対するアレイアンテナの複素応答を表すａ（θ）（ステアリングベクトルと呼ばれる。）におけるθを０〜３６０度まで可変した時のＥＮ  との直交性を評価する方向評価関数Ｆ（θ）を（数４）のように定義する。
【００１０】
【数３】
0003596331.tif 000004
【００１１】
【数４】
0003596331.tif 000005
【００１２】
これにより、θが到来角に等しくなる場合、理想的には方向評価関数Ｆ（θ）は無限大の値をとることになる。従って、θを可変した時のＦ（θ）の計算結果のピーク方向を到来波の到来方向推定値とする。
【００１３】
なお、一般に到来波数Ｓは未知であるため、到来波数を判定するために、固有値の分布や文献Ｍ．Ｗａｘ  ａｎｄ  Ｔ．Ｋａｉｌａｔｈ，“Ｄｅｔｅｃｔｉｏｎ  ｏｆ  Ｓｉｇｎａｌｓ  ｂｙ  Ｉｎｆｏｒｍａｔｉｏｎ  Ｔｈｅｏｒｅｔｉｃ  Ｃｒｉｔｅｒｉａ”，ＩＥＥＥ  Ｔｒａｎｓ．Ｏｎ  Ａｃｏｕｓｔｉｃｓ，Ｓｐｅｅｃｈ  ａｎｄ  Ｓｉｇｎａｌ  Ｐｒｏｃｅｓｓｉｎｇ，Ｖｏｌ．ＡＳＳＰ３３（２），ｐｐ．３８７−３９２，Ｆｅｂｒｕａｒｙ（１９８５）に記載されている信号個数判定基準を設けて、判定を行う。
【００１４】
【発明が解決しようとする課題】
以上のＭＵＳＩＣ法のようなアレイ受信信号の共分散行列の固有値展開を行うアルゴリズムを用いて、信号処理により高精度に到来方向推定する電波到来方向推定装置においては、共分散行列で求まる素子アンテナ間の受信信号の相互相関値を求めるが、統計的に観測時間が長くなる程、その精度が高まり、その結果として到来方向推定精度が向上する。そのため、到来方向推定精度をある程度確保するためには、各素子アンテナで得られる受信信号をＡ／Ｄ変換器によりディジタル信号に変換した受信データ信号を多量に扱う必要が生じ、到来方向推定に使用する受信データ数が多くなり、データ転送部におけるデータを一時蓄積するメモリ量が増大するという課題を有する。
【００１５】
また、移動体に搭載された送信機の到来方向を推定する場合は、想定される移動体の移動速度に応じて、データ転送部の転送速度及び信号処理装置の演算能力が要求される。
【００１６】
さらに、ＭＵＳＩＣ法では到来波間の相関が高い場合、共分散行列のフルランク性が保証されず、推定精度が劣化する。その対処方法として、アレーアンテナをサブアレイ化し、空間スムージング法を適用することで、相関波に対する精度劣化は改善されるが、この場合、素子アンテナ数が少ない場合はアレーの自由度が減少するため、実質的な効果が得られないという課題がある。
【００１７】
本発明は、電波到来方向推定装置の装置構成の簡易化を目的とするものであり、信号処理装置へのデータ入力となるデータ転送部の転送速度と一時的な蓄積用のメモリ容量を低減すると同時に、計算量の低減による信号処理装置の演算能力の軽減を可能とする装置を提供することを目的とする。
【００１８】
また、複数到来波のすべての到来方向ではなく、複数到来波のうち最大レベルの到来波のみを推定する用途に限定適用することで、素子アンテナ数が少なく、到来波間の相関が高い場合でも、複数到来波のうち最大レベルの到来波方向を精度良く検出する電波到来方向推定装置を提供することを目的とし、さらに、この電波到来方向推定装置の推定結果を利用して、アンテナ指向性制御を行うことで受信品質改善を行う指向性可変受信装置を提供することを目的とする。
【００１９】
【課題を解決するための手段】
以上の課題を解決するために本発明は、複素ベースバンド信号を複素ディジタル信号に変換するＡ／Ｄ変換器と、複素ディジタル信号の高周波成分を減衰させた複素低域信号を出力する低域通過フィルタと、複素低域信号をＡＤ変換器のサンプリング間隔の整数倍でダウンサンプリングし複素ダウンサンプル信号を出力するダウンサンプル部と、各素子アンテナから得られた複素ダウンサンプル信号を一時的に蓄積しデータ転送を行うデータ転送部と、データ転送部の出力データを基に電波到来方向推定を行う方向推定処理部とを有する構成としたものである。
【００２０】
これにより、到来方向推定精度の劣化を最低限に抑えた上で、到来方向推定処理に必要とするデータ量を減らすことができ、システム全体の低コスト化をはかることができる。
【００２１】
【発明の実施の形態】
本発明の請求項１に記載の発明は、複数の素子アンテナを用いたアレーアンテナと、前記各素子アンテナから得られる高周波信号を周波数変換及び位相検波して複素ベースバンド信号を出力する周波数変換部と、前記複素ベースバンド信号を複素ディジタル信号に変換するＡ／Ｄ変換器と、前記複素ディジタル信号の高周波成分を減衰させた複素低域信号を出力する低域通過フィルタと、前記複素低域信号を前記ＡＤ変換器のサンプリング間隔の整数倍でダウンサンプリングし複素ダウンサンプル信号を出力するダウンサンプル部と、前記各素子アンテナから得られた前記複素ダウンサンプル信号を一時的に蓄積しデータ転送を行うデータ転送部と、前記データ転送部の出力データを基に電波到来方向推定を行う方向推定処理部とを有することを特徴とする電波到来方向推定装置であり、到来方向推定精度の劣化を最低限に抑えた上で、到来方向推定処理に必要とするデータ量を減らすことができ、システム全体の低コスト化をはかることができるという作用を有する。
【００２２】
請求項２に記載の発明は、低域通過フィルタの通過帯域が、電波到来方向推定を行う到来電波の３ｄＢ帯域の１０〜５０％であることを特徴とする請求項１記載の電波到来方向推定装置であり、方向推定処理の特性を最適化するという作用を有する。
【００２３】
請求項３に記載の発明は、各素子アンテナから得られた複素ダウンサンプル信号を用いて共分散行列を求める共分散行列演算手段と、前記共分散行列から固有値を求める固有値演算手段と、前記固有値に対応する固有ベクトルを求める固有ベクトル演算手段と、前記固有ベクトルを用いて到来波方向を推定する方向評価関数演算手段とを有することを特徴とする請求項１または２記載の電波到来方向推定装置であり、到来方向推定精度の劣化を最低限に抑えた上で、到来方向推定処理に必要とするデータ量を減らすことができ、システム全体の低コスト化をはかることができるという作用を有する。
【００２４】
請求項４に記載の発明は、方向評価関数演算手段は、固有ベクトルの中で最大固有値を除く固有値に対する固有ベクトルに対する直交性を評価する方向評価関数を演算することで最大レベルの到来波方向を推定する最大レベル方向評価関数演算手段であることを特徴とする請求項３記載の電波到来方向推定装置であり、素子アンテナ数が少なく、到来波間の相関が高い場合でも、複数到来波のうち最大レベルの到来波方向を精度良く検出するという作用を有する。
【００２５】
請求項５に記載の発明は、請求項４記載の電波到来方向推定装置と、異なる主ビーム方向をもつ複数のセクタアンテナと、最大レベル方向評価関数演算手段の演算結果から前記複数のセクタアンテナから１つのセクタアンテナを選択するセクタ制御信号を出力するセクタ制御部と、前記セクタ制御信号に基づきセクタアンテナを択一的に接続するセクタスイッチと、前記セクタスイッチの出力信号に対し復調動作を行う受信部とを有することを特徴とする指向性可変受信装置であり、電波到来方向推定装置の推定結果を利用して、アンテナ指向性制御を行うことで受信品質改善を行う作用を有する。
【００２６】
以下、本発明の実施の形態について、図１から図６を用いて説明する。
【００２７】
（実施の形態１）
図１は、電波到来方向推定装置の構成を示すブロック図である。Ｍ個（ただし、Ｍ＞１）の素子アンテナ１―１〜Ｍで受信した受信信号２―１〜Ｍは、各素子アンテナ１ー１〜Ｍに接続された周波数変換部３―１〜Ｍにおいて周波数変換された後、位相検波され、直交するＩ、Ｑ信号からなる複素ベースバンド信号４―１〜Ｍに変換される。各複素ベースバンド信号は、アナログ／ディジタル変換器５―１〜Ｍ（以下、Ａ／Ｄ変換器と呼ぶ。）により、アナログ信号から複素ディジタル信号６―１〜Ｍに変換される。ここで、Ａ／Ｄ変換器５―１〜Ｍのサンプリング周波数ｆｓは、電波到来方向推定を行う送信変調波の帯域ＷＢ（Ｈｚ）に対し、ｆｓ≧２ＷＢとなるサンプリング定理を満たす条件で行う。
【００２８】
低域通過フィルタ７―１〜Ｍは、複素ディジタル信号６―１〜Ｍの高周波成分を低減し、時間的に平滑化した複素低域信号８―１〜Ｍを出力する。ダウンサンプル部９―１〜Ｍは、サンプリング間隔ΔＴ（＝１／ｆｓ）でサンプルされ低域化された複素低域信号８―１〜ＭをＮｄサンプル毎にダウンサンプリングを行い、複素ダウンサンプル信号１０―１〜Ｍを出力する。
【００２９】
データ転送部１１は、複素ダウンサンプル信号１０―１〜Ｍから得られるｘ１（ｋ）、ｘ２（ｋ）、．．．、ｘＭ（ｋ）を方向推定処理部１２に転送する。ただし、ｋはダウンサンプル時刻ｋ×Ｎｄ×ΔＴを表す。
【００３０】
方向推定処理部１２は、データ転送部１１の出力データからＭＵＳＩＣ法に基づく演算を行い方向推定を行う。方向推定処理部１２は図８と同様の構成であり、従来例での説明と同様の処理を行う。
【００３１】
以上のような構成では、ダウンサンプル部において複素ディジタル信号をＮｄサンプル毎にダウンサンプリングを行う点が従来例と異なる。すなわち、複素ディジタル信号６―１〜Ｍのサンプル数Ｎ個に対し複素ダウンサンプル信号９―１〜ＭはＮ／Ｎｄとなるため、従来例では（数２）で示されていた方向推定処理部７８における共分散行列演算手段７９での共分散行列の演算が、（数５）のように示される。
【００３２】
【数５】
0003596331.tif 000006
【００３３】
この結果、ダウンサンプリングによりデータ数が減るため演算量は低減されるが、逆に、各素子アンテナ１−１〜Ｍによる受信信号２−１〜Ｍの相互相関値に精度劣化が生じる。しかしながら、Ａ／Ｄ変換器５の出力を低域通過フィルタ７により平滑化をしているため、その精度劣化を最小限に押さえる効果をもつ。
【００３４】
図２は、計算機シミュレーションにより方向推定処理部１１における処理結果を、従来のＭＵＳＩＣ法と比較した特性図である。図２は４素子円形アレーアンテナに到来角０°と１００°の２波が到来した場合の推定結果を示しており、複素ディジタル信号６−１〜Ｍをダウンサンプル部９により１／１００にデータ量を削減している。ダウンサンプルにより方向評価関数のピークのダイナミックレンジは減少しているが、ピーク方向は誤差１°以内で一致しており、精度的には大きな劣化がないことが確認できる。
【００３５】
図３は、複素ディジタル信号６−１〜Ｍをダウンサンプル部９により１／１００にデータ量を削減した場合の伝送３ｄＢ帯域Ｗで正規化した低域通過フィルタ７のカットオフ周波数ｆ（＝ｆｃ／Ｗ）の関係を示す。３ｄＢ帯域Ｗの１０〜５０％範囲内で低域通過フィルタ７のカットオフ周波数ｆを最適化することで、ダイナミックレンジの改善効果が得られる。
【００３６】
以上のように本実施の形態では、アレーアンテナ１により受信された複素ディジタル信号６を低域フィルタ７通過後にダウンサンプルすることで、方向推定精度劣化を最小限に抑えた上で、推定処理で扱うデータ量を削減でき、必要とする一時的データ格納メモリ量とデータ転送速度の低減ができ、データ転送部１１の低コスト化が実現できる。また、同じくデータ量の削減により方向推定処理部１２における共分散行列演算手段７９での計算量の低減がはかられ、必要とされる計算処理能力を低減することができ、方向推定処理部７８の低コスト化がはかれる。
【００３７】
なお、以上の説明では、方向推定処理部７８においてＭＵＳＩＣ法により方向推定した例を示したが、他の共分散行列の固有値展開に基づく方向推定アルゴリズムに対しても同様に実施可能である。
【００３８】
（実施の形態２）
図４は方向推定処理部４０の別な構成を示すブロック図である。データ転送部出力は、（実施の形態１）の図１を用いて説明したものと同様であり、以下、図４における方向推定処理部４０の動作を説明する。
【００３９】
共分散行列演算手段４１は、ダウンサンプル部９でダウンサンプルされたＮｓ個の複素ダウンサンプル信号１０を蓄積した受信ベクトルＸ（１）からＸ（Ｎｓ）を用いて、共分散行列Ｒを求める。ただし、ｋ＝１〜Ｎ、Ｔは転置、Ｈは複素共役転置を示す。
【００４０】
【数６】
0003596331.tif 000007
【００４１】
【数７】
0003596331.tif 000008
【００４２】
固有値演算手段４２は、共分散行列Ｒの固有値を降順に算出した固有値λ１  〜λＭ  を求める。固有ベクトル演算手段４３は、固有値λ１  〜λＭ  に対応する固有ベクトルｅ１  〜ｅＭ  を算出する。最大レベル方向評価関数演算手段４４は、最大固有値を除く（Ｍ−１）個の固有ベクトルで張られるベクトル空間行列Ｅｓ＝［ｅ２  、．．．、ｅＭ  ］を用いて、（数４）の方向評価関数Ｆ（θ）を用いて最大レベルの到来波の到来方向を推定する。これは最大固有値の固有ベクトル最大固有値に対応する固有ベクトル以外のすべての固有ベクトルは雑音固有空間を張るものと見なすことに対応する。θを０〜３６０度まで可変した時の方向評価関数Ｆ（θ）を求め、その結果からピークサーチすることで到来波の到来方向を推定する。
【００４３】
図５は、ＭＵＳＩＣ法と本実施の形態による実施例の４素子円形アレーでの到来方向推定シミュレーション結果をそれぞれ示す。図５のシミュレーション条件は以下の通りである。帯域６ＭＨｚのＱＰＳＫ変調に対し、低域通過フィルタ７のカットオフを１００ｋＨｚとし、Ｓ／Ｎ＝１０ｄＢで相互相関値が０．７である２波が到来した場合。第１波は到来角０°、信号レベル０ｄＢ、第２波は信号レベルが−３ｄＢで１０°毎に−１８０°から１８０°に到来角を変化。Ａ／Ｄ変換器５のサンプル周波数ｆｓはシンボル周波数ｆｓｙｍｂｏｌの４倍で、ダウンサンプリングはｆｓ／１００としている。
【００４４】
図５より明らかなように、最大レベル波の推定誤差が２０°を越える確率は、ＭＵＳＩＣ法に比べ、本実施例の方法が小さくなっており、推定精度の改善効果が得られている。
【００４５】
以上のように本実施の形態では、（実施の形態１）で説明した効果に加え、方向推定処理部４０における最大レベル方向評価関数演算手段４４をもうけることで複数の到来方向の中で最大レベル到来波方向を精度良く推定することができ、複数到来波のすべての到来方向ではなく、複数到来波のうち最大レベルの到来波のみを推定する用途に限定適用することで、素子アンテナ１が少なく、到来波間の相関が高い場合でも、複数到来波のうち最大レベルの到来波方向を精度良く検出する効果が得られる。
【００４６】
（実施の形態３）
（実施の形態２）において、最大レベル方向を推定する到来方向推定装置について説明したが、その推定結果を基に主ビーム方向の異なる複数のセクタアンテナの選択を行ない、指向性を可変にする指向性可変受信装置として適用可能であり、受信品質の改善に多大な効果を有する。
【００４７】
図６は指向性可変受信装置の構成ブロック図を示し、（実施の形態２）で示した方向推定処理部４０の機能を有する到来方向推定装置と、主ビーム方向の異なるｍ本（ｍ≧２）のセクタアンテナ６０―１〜ｍ、セクタスイッチ６１、セクタ制御部６２、受信部６３とを有する。
【００４８】
以下に、図６における動作を説明する。複数の素子アンテナ１―１〜Ｍからなるアレーアンテナから得られた受信信号２―１〜Ｍを使用して電波到来方向推定する動作は、（実施の形態１）における図１及び（実施の形態２）における図４を用いて行った説明と同様である。そして、到来方向推定処理部４０において最終的に得られた最大レベル方向推定結果がセクタ制御部６２に入力される。
【００４９】
セクタ制御部６２は、推定結果から、最大レベル方向に主ビーム方向を持つ第ｍｓ  番目のセクタアンテナを複数セクタアンテナ６０―１〜ｍから選択し、受信部６３に接続するようにセクタスイッチ６１を制御する。
【００５０】
セクタスイッチ６１は、セクタ制御信号６４に基づき、第ｍｓ  番目のセクタアンテナを受信部６３に接続する。受信部６３は、接続された第ｍｓ  番目のセクタアンテナによる受信信号２に対し復調動作を行う。
【００５１】
以上のような動作により、複数のセクタアンテナ６０―１〜ｍから最大レベル方向に主ビーム方向をもつ最適なセクタアンテナを選択することができ、高い信号対雑音レベル比の受信信号が得られる。また、選択されたセクタアンテナの主ビーム方向以外の多重波が抑圧され、符号間干渉を低減できるという効果が得られる。
【００５２】
なお、本実施の形態では、到来方向推定処理部４０における最大レベル方向推定結果に合致するようにセクタアンテナの選択を行うが、複数の素子アンテナの位相制御を行うことで、主ビーム方向を到来方向推定処理部４０における最大レベル方向推定結果に合致するよう制御する構成でも同様な効果が得られる。
【００５３】
【発明の効果】
以上のように本発明によれば、アレーアンテナにより受信された複素ディジタル信号を低域フィルタ通過後にダウンサンプルすることで、方向推定精度劣化を最小限に抑えた上で、推定処理で扱うデータ量を削減でき、必要とする一時的データ格納メモリ量とデータ転送速度の低減ができる。
【００５４】
また、データ量の削減により方向推定処理部における共分散行列演算手段での計算量の低減がはかられ、必要とされる計算処理能力を軽減することができ、その結果、方向推定処理部の低コスト化がはかれるという有利な効果が得られる。
【図面の簡単な説明】
【図１】本発明の実施の形態における電波到来方向推定装置の構成を示すブロック図
【図２】本発明の実施の形態における方向推定処理部の動作シミュレーション結果とＭＵＳＩＣ法による結果との比較特性図
【図３】本発明の実施の形態における低域通過フィルタカットオフ周波数と到来方向推定レベルとの関係を示す特性図
【図４】本発明の実施の形態における方向推定処理部の構成を示すブロック図
【図５】本発明の実施の形態における方向推定処理部の動作シミュレーション結果とＭＵＳＩＣ法による結果をそれぞれ示す特性図
【図６】本発明の実施の形態における指向性可変受信装置の構成を示すブロック図
【図７】従来の電波到来方向推定装置の構成を示すブロック図
【図８】従来の方向推定処理部の構成を示すブロック図
【符号の説明】
１  素子アンテナ
２  受信信号
３  周波数変換部
４  複素ベースバンド信号
５  Ａ／Ｄ変換器
６  複素ディジタル信号
７  低域通過フィルタ
８  複素低域信号
９  ダウンサンプル部
１０  複素ダウンサンプル信号
１１  データ転送部
１２  方向推定処理部
４０  方向推定処理部
４１  共分散行列演算手段
４２  固有値演算手段
４３  固有ベクトル演算手段
４４  最大レベル方向評価関数演算手段
６０  セクタアンテナ
６１  セクタスイッチ
６２  セクタ制御部
６３  受信部
６４  セクタ制御信号
７１  素子アンテナ
７２  受信信号
７３  周波数変換部
７４  複素ベースバンド信号
７５  Ａ／Ｄ変換器
７６  複素ディジタル信号
７７  データ転送部
７８  方向推定処理部
７９  共分散行列演算手段
８０  固有値演算手段
８１  固有ベクトル演算手段
８２  方向評価関数演算手段
【図１】
0003596331.tif 000009
【図２】
0003596331.tif 000010
【図３】
0003596331.tif 000011
【図４】
0003596331.tif 000012
【図５】
0003596331.tif 000013
【図６】
0003596331.tif 000014
【図７】
0003596331.tif 000015
【図８】
0003596331.tif 000016